(57)【特許請求の範囲】
【請求項１】
容器の口部に適合して該口部からの内容物の滴下を可能とする中栓であって、この中栓は、容器の口部に嵌合、保持され容器の内部に通じる貫通口を有するベース部材と、このベース部材の貫通口に先端部分を露出させたままでスライド可能に抜け止め保持されベース部材との相互間で内容物の流通経路及び注出口を形成するスライダーとからなり、
該スライダーの先端面に、キャッピング時にキャップの内面に設けられた凸部と係合する凹部を設けたことを特徴とする容器の中栓。
【請求項２】
容器の口部に適合して該口部からの内容物の滴下を可能とする中栓であって、この中栓は、容器の口部に嵌合、保持され容器の内部に通じる貫通口を有するベース部材と、このベース部材の貫通口に先端部分を露出させたままでスライド可能に抜け止め保持されベース部材との相互間で内容物の流通経路及び注出口を形成するスライダーとからなり、
該スライダーの先端面に、組み込み治具を挿入してスライダーそのものの保持を可能とする凹部を設けたことを特徴とする容器の中栓。
【請求項３】
流通経路が、ベース部材及びスライダーの少なくとも一方に設けられたリブによって区画されたものである請求項１又は２に記載の中栓。
【発明の詳細な説明】
【０００１】
【発明の属する技術分野】
本発明は、目薬等の薬液を充てんする容器に適用して好適な中栓に関し、該中栓に工夫を加えることによって点眼時などにおいてしばしばみられる、バキューム作用に起因した容器内への異物の混入を確実に防止しようとするものである。
【０００２】
【従来の技術】
目薬等の薬液を充てんする容器は、その口部に、薬液を１回につき１滴乃至は数滴滴下できるように軸芯に沿って滴下経路を形成した中栓が組み込まれている。
【０００３】
通常、この種の容器を目薬容器として使用する場合は、点眼に際して容器の中栓部分を目から一定の距離だけ離した状態で薬液を滴下させるのが一般的であるが、使用者によっては、容器の中栓の先端を目（目尻、目頭、上下の瞼あるいは眼球等）に直接つけて点眼する場合もあって、とくに、このような点眼の仕方をすると薬液の排出後に外気が中栓の滴下経路を通って容器内に吸引される、いわゆる容器のバキューム作用（容器本体をスクイズした場合に大きい）が起きた際に、中栓の先端に付着した目ヤニ等の異物とともに容器内に流れ込んで薬液を汚染することがあり、これが、もともと内容物中に混入していた異物であるとする使用者からの苦情にもつながることにもなりかねないため、その解決が望まれている。
【０００４】
【発明が解決しようとする課題】
本発明の課題は、中栓を滴下対象物に直接接触させることがあっても容器内への異物の混入を確実に回避できる新規な中栓構造について提案するところにある。
【０００５】
【課題を解決するための手段】
すなわち、本発明は、容器の口部に適合して該口部からの内容物の滴下を可能とする中栓であって、この中栓は、容器の口部に嵌合、保持され容器の内部に通じる貫通口を有するベース部材と、このベース部材の貫通口に先端部分を露出させたままでスライド可能に抜け止め保持されベース部材との相互間で内容物の流通経路及び注出口を形成するスライダーとからなり、
該スライダーの先端面に、キャッピング時にキャップの内面に設けられた凸部と係合する凹部を設けたことを特徴とする容器の中栓である。
【０００６】
また本発明は、容器の口部に適合して該口部からの内容物の滴下を可能とする中栓であって、この中栓は、容器の口部に嵌合、保持され容器の内部に通じる貫通口を有するベース部材と、このベース部材の貫通口に先端部分を露出させたままでスライド可能に抜け止め保持されベース部材との相互間で内容物の流通経路及び注出口を形成するスライダーとからなり、
該スライダーの先端面に、組み込み治具を挿入してスライダーそのものの保持を可能とする凹部を設けたことを特徴とする容器の中栓である。
【０００７】
上記の構成になる中栓において、流通経路は、ベース部材及びスライダーの少なくとも一方に数本のリブを設け、このリブによって区画された空間とするのが望ましい。
【０００８】
【発明の実施の形態】
以下、図面を用いて本発明をより具体的に説明する。
図１は容器の中栓を目薬容器に適用した場合の構成を示したものである。図において１は薬液を充てんする容器である。この容器１は容器内に通じる口部１ａを備える。
【０００９】
また、２は容器１の口部１ａに嵌合、保持されるベース部材である。このベース部材２は容器１の内部に通じる貫通口２ａを有するとともにその内側には環状凸部２ｂと、間隔をおいて複数本のガイド用リブ２ｃが設けられている。
【００１０】
また、番号３はスライダーであり、このスライダー３はその先端部分３ａをベース部材２から露出させたままでリブ状の係止片３ｂ（スライダー３の周りに数本設けることができる。）にてベース部材２にスライド可能に抜け止め保持されていて、ベース部材２との相互間で薬液を注出させるための流通経路Ｐと注出口Ｐ１を形成するものであり、上記ベース部材２とスライダー３とにて中栓を構成する。
【００１１】
上掲図１は使用前（点眼前）における構成部材の配置状況を示してあり、仮想線で示した如きキャップを装着しておくことにより、中栓の流通経路Ｐ及び注出口Ｐ１は、ベース部材２とスライダー３との２箇所における環状の相互接触により遮断された状態となる。
【００１２】
図２は図１に示した中栓を反転した場合における構成部材の配置状況を示したものである。容器を下向きにすると、中栓のスライダー３は係止片３ｂが環状凸部２ｂに当接するまでスライドすることになり、容器内の薬液は、図中の矢印に従い流通経路Ｐを通り、注出口Ｐ１を経てスライダー３の先端部分３ａへと流れ出ることになり、このとき、図３に示すように中栓の先端を直接目に接触させるような点眼を行っても薬液の注出口Ｐ１は目から一定の距離だけ離れているので、容器のバキューム作用によって外気が容器内に流入してもそれとともに異物が容器内に入ることはない。
【００１３】
中栓を有する容器は、図４に示すように、スライダー３の先端部分３ａを目から一定の距離をおいて薬液の滴下を行う一般的な点眼形式を適用しても何ら問題はない。
【００１４】
図５は上掲図１に示した中栓において、スライダー３の先端面に凹部４を設けた本発明に従う中栓の例を示したものである。この種の部材はサイズ的には非常に小さく、スライダー３をベース部材２に圧入する組み込み作業に際しては手掛かり部分が少なく、作業が困難なことも想定されるが、このような凹部４を設け、ここに組み込み治具を挿入してスライダー３を保持することにより組み込み作業の簡便化を図ることができる。さらに、このタイプの中栓は、キャップ５の内面に凸部５ａを設けておき、キャッピングの際、該凸部５ａを凹部４に挿入、係合させることでキャップ５の取り外しと同時にスライダー３が引き上げることができ、これによりただちに滴下可能な状態とすることができる利点がある。
【００１５】
図６（ａ）（ｂ）は、スライダー３の先端部分３ａを球体とした中栓の他の構成例を示したものである。スライダー３の先端部分３ａを球体とすることにより流通経路Ｐ、注出口Ｐ１を経た薬液はその先端までスムーズかつ、均等に流下していき、効率的な点眼が可能になり、この場合も、薬液の注出口Ｐ１は中栓のサイドに存在するので図７に示す如く、スライダー３を直接目に接触させて点眼を行ってもその先端に付着した異物が容器内に流れ込むことはない。
【００１６】
図８（ａ）〜（ｃ）はスライダー３の外周に３つのリブ状部材３ｃを設け、このスライダー３とベース部材２との組合せにて区画される空間を流通経路Ｐ、注出口Ｐ１とする本発明に従う中栓の他の構成例を示したものである。
【００１７】
図８（ａ）〜（ｃ）に示した構成になる中栓は、中栓の先端を目に接触させて点眼を行う図９に示すような点眼形式を採用しても、上掲図１、図６に示したものと同様、薬液の注出口Ｐ１が中栓のサイドにあるので中栓の先端に異物が付着していたとしも容器内に流入することはない。
【００１８】
かかる構造になる中栓は、リブ状部材３ｃの先端が、キャップＣのねじ込みに際してその内側に設けた環状リブＣ１の先端に当接するようにしておくことにより、容器の姿勢にかかわりなく、内容物を確実にシールすることができる。
【００１９】
上掲図６、図８に示した例の中栓については、図１０、図１１にそれぞれ示すように、目から一定の距離をおいて点眼する一般的な点眼形式が適用できるのはいうまでもない。
【００２０】
中栓は、ポリエチレン樹脂やポリプロピレン樹脂（軟質のもの）、ポリブチレンテレフタレート樹脂あるいは、内容物を容器の先端までスムーズに流下させるためにナイロン等の撥水性のある樹脂等にて構成することができる。
【００２１】
【発明の効果】
本発明によれば、中栓の先端を直接対象物に接触させるような使用の仕方をしても容器のバキューム作用によって異物が吸引されることがなく、容器内の内容物の品質を長期にわたって維持できる。
【図面の簡単な説明】
【図１】  中栓の構成説明図である。
【図２】  図１に示した中栓を反転した状態を示した図である。
【図３】  図１に示した中栓の使用状態を示した図である。
【図４】  一般的な点眼形式を示した図である。
【図５】  本発明に従う中栓の例を示した図である。
【図６】  （ａ）（ｂ）は中栓の他の例を示した図である。
【図７】  図６に示した中栓の使用状態を示した図である。
【図８】  （ａ）〜（ｃ）は中栓の他の例を示した図である。
【図９】  図８に示した中栓の使用状態を示した図である。
【図１０】  図６に示した中栓を使用して一般的な点眼を行っている状態を示した図である。
【図１１】  図８に示した中栓を使用して一般的な点眼を行っている状態を示した図である。
【符号の説明】
１  容器
１ａ  口部
２  ベース部材
２ａ  貫通口
２ｂ  環状凸部
３  スライダー
３ａ  先端部分
３ｂ  リブ状の係止片
３ｃ  リブ状部材
４  凹部
５  キャップ
５ａ  凸部
Ｐ  流通経路
Ｐ１  注出口
Ｃ  キャップ
Ｃ１  環状リブ
【図１】
0004409113.tif 000002
【図２】
0004409113.tif 000003
【図３】
0004409113.tif 000004
【図４】
0004409113.tif 000005
【図５】
0004409113.tif 000006
【図６】
0004409113.tif 000007
【図７】
0004409113.tif 000008
【図８】
0004409113.tif 000009
【図９】
0004409113.tif 000010
【図１０】
0004409113.tif 000011
【図１１】
0004409113.tif 000012